(57)【特許請求の範囲】
【請求項１】
制御部や電子部品を実装した回路基板が内部に収納され、貫通穴が取付面を挟んで相対する一対の側壁面のそれぞれに設けられ、該取付面が盤面に宛てがわれ、かつ、ネジが該貫通穴に差し込まれて該盤面に締着されて取り付けられる電気機器のケースであって、
切欠が上記一対の側壁面のそれぞれに壁面からの深さを漸次深くするように反取付面側から上記取付面側に延設され、上記切欠の上記取付面側の底面が上記取付面と平行な面に形成され、上記貫通穴が上記各切欠の底面から上記取付面に至るように穿設され、上記ネジの軸部の先端を案内するガイド溝が上記各切欠の底面に上記側壁面の壁面から上記貫通穴に至るように上記貫通穴の内径と同じ幅で設けられていることを特徴とする電気機器のケース。
【発明の詳細な説明】
【０００１】
【発明の属する技術分野】
この発明は、制御部や電子部品を実装した回路基板が内部に収納され、貫通穴が取付面を挟んで相対する一対の側壁面のそれぞれに設けられ、該取付面が盤面に宛てがわれ、かつ、ネジが該貫通穴に差し込まれて該盤面に締着されて取り付けられる電気機器のケースに関するものである。
【０００２】
【従来の技術】
図３は従来の電気機器の外観を示す図であり、図３の（ａ）はその上面図、図３の（ｂ）はその側面図、図３の（ｃ）はその正面図を示している。
図において、電気機器１は、ケース２およびこのケース２に装着される上面カバー３を備え、制御部、電源、電子部品を実装した各種回路基板等がケース２内に収納されて構成されている。なお、電気機器１には、通常、外部との電気配線を行うための端子台や外部への動作表示を行うためのランプ等の識別表示手段を備えているが、ここでは省略してある。
ケース２は、モールド樹脂材の成型品、板金あるいはアルミの鋳型で箱形に作製されている。そして、一対の取付足２ａが、ケース２の相対する側壁面の下部端面から延設されている。各取付足２ａには、締着固定用のネジ（図示せず）を挿通する貫通穴４が穿設されている。また、上面カバー３は、モールド樹脂材の成型品あるいは板金で作製され、制御部、電源、電子部品を実装した各種回路基板等が収納されたケース２の開口を塞ぐようにケース２に取り付けられる。
【０００３】
このように構成された電気機器１は、ケース２を盤面上に載置し、ネジを貫通穴４に差し込む。そして、ドライバ等の締め付け工具を用いて、該ネジの頭部が取付足２ａの上端面に当接するまでネジを盤面に締着して取り付けられる。
【０００４】
図４は従来の電気機器の他の例の外観を示す図であり、図４の（ａ）はその上面図、図４の（ｂ）はその側面図、図４の（ｃ）はその正面図を示している。
図において、電気機器５は、ケース６およびこのケース６に装着される上面カバー７を備え、制御部、電源、電子部品を実装した各種回路基板等がケース６内に収納されて構成されている。なお、電気機器５には、通常、外部との電気配線を行うための端子台や外部への動作表示を行うためのランプ等の識別表示手段を備えているが、ここでは省略してある。
ケース６は、モールド樹脂材の成型品、板金あるいはアルミの鋳型で箱形に作製されている。そして、一対の切欠８がケース６の相対する側壁面に設けられている。各切欠８は、側壁面からの切り込み深さが漸次深くなるように上部側から下部側に延設されている。さらに、貫通穴９が各切欠８の底面８ａからケース６の底面に至るようにあけられている。また、上面カバー７は、モールド樹脂材の成型品あるいは板金で作製され、制御部、電源、電子部品を実装した各種回路基板等が収納されたケース６の開口を塞ぐようにケース６に取り付けられる。
【０００５】
このように構成された電気機器５は、図５に示すように、ケース６を盤面１０上に載置し、ネジ１１を切欠８を利用して貫通穴９に差し込む。そして、ドライバ等の締め付け工具を用いて、該ネジ１１の頭部１１ａが切欠８の底面８ａに当接するまでネジ１１を盤面１０に締着して取り付けられる。
【０００６】
【発明が解決しようとする課題】
図３に示された従来の電気機器１では、取付足２ａがケース２の側壁端面から突出しているので、ネジの締着操作スペースが確保され、取り付けの容易性が高くなる。しかしながら、取付足２ａがケース２の側壁端面から突出しているので、デザイン上制約があるとともに、小型化が図られず、さらには取付面積が大きくなり、盤面上の実装密度が低くなるという課題があった。
また、図４に示された従来の電気機器５では、切欠８が壁面からの切り込み深さを漸次深くするようにケース６の側壁面に上部側から下部側に延設され、貫通穴９が切欠８の底面からケース６の底面に至るようにあけられているので、取付部がケース６の側壁面から突出せず、デザイン上の制約がなくなるとともに、小型化が図られ、さらには取付面積が少なく、盤面上の実装密度が高められる。しかしながら、ケース６の側壁面に設けられた切欠８を利用してネジ１１を貫通穴８に挿入することになり、貫通穴８周辺の空間が狭く、ネジ１１の挿入角度が限定されるので、取付の容易性が低下してしまうという課題があった。
【０００７】
この発明は、上記のような課題を解決するためになされたもので、取付部の突出をなくし、デザイン上の制約をなくして、機器の小型化が図られ、優れた取付容易性を有する電気機器のケースを得ることを目的とする。
【０００８】
【課題を解決するための手段】
この発明に係る電気機器のケースは、制御部や電子部品を実装した回路基板が内部に収納され、貫通穴が取付面を挟んで相対する一対の側壁面のそれぞれに設けられ、該取付面が盤面に宛てがわれ、かつ、ネジが該貫通穴に差し込まれて該盤面に締着されて取り付けられる電気機器のケースであって、切欠が上記一対の側壁面のそれぞれに壁面からの深さを漸次深くするように反取付面側から上記取付面側に延設され、上記切欠の上記取付面側の底面が上記取付面と平行な面に形成され、上記貫通穴が上記各切欠の底面から上記取付面に至るように穿設され、上記ネジの軸部の先端を案内するガイド溝が上記各切欠の底面に上記側壁面の壁面から上記貫通穴に至るように上記貫通穴の内径と同じ幅で設けられているものである。
【０００９】
【発明の実施の形態】
以下、この発明の実施の形態を図について説明する。
実施の形態１．
図１はこの発明の実施の形態１に係る電気機器の外観を示す図であり、図１の（ａ）はその上面図、図１の（ｂ）はその側面図、図１の（ｃ）はその正面図である。図２はこの発明の実施の形態１に係る電気機器の取付方法を説明する要部斜視図である。
【００１０】
図１および図２において、電気機器２０は、ケース２１およびこのケース２１に装着される上面カバー２２を備え、制御部、電源、電子部品を実装した各種回路基板等がケース２１内に収納されて構成されている。なお、電気機器２０には、通常、外部との電気配線を行うための端子台や外部への動作表示を行うためのランプ等の識別表示手段を備えているが、ここでは省略してある。
ケース２１は、モールド樹脂材の成型品、板金あるいはアルミの鋳型で箱形に作製されている。そして、一対の切欠２３がケース２１の相対する側壁面に設けられている。各切欠２３は、側壁面からの切り込み深さが漸次深くなるように上部側から下部側に延設されている。この切欠２３の底面２３ａは、ケース２１の取付面としての底面２１ａと平行な平面に形成されている。また、貫通穴２４が各切欠２３の底面２３ａからケース２１の底面２１ａまであけられている。さらに、ガイド溝２５が各切欠２３の底面２３ａにケース２１の側壁面から貫通穴２４に至るように設けられている。なお、貫通穴２４の内径は、ネジ１１の軸部１１ｂの外径より大径で、かつ、ネジ１１の頭部１１ａの外径より小径に形成され、ガイド溝２５の幅は貫通穴２４の内径と等しく構成されている。また、切欠２３の底面２３ａからケース２１の底面２１ａまでの厚さは強度を考慮して１０ｍｍ以上の厚みに成形されている。
また、上面カバー２２は、モールド樹脂材の成型品あるいは板金で作製され、制御部、電源、電子部品を実装した各種回路基板等が収納されたケース２１の開口を塞ぐようにケース６に取り付けられる。
【００１１】
このように構成された電気機器２０は、図２に示すように、ケース２１の底面２１ａが盤面１０に宛てがわれて、ケース２１が盤面１０上に載置される。そして、ケース２１の側壁面の外方からネジ１１の軸部１１ｂの先端をガイド溝２５内に入れる。ついで、ネジ１１の軸部１１ｂの先端を貫通穴２４方向にガイド溝２５内をスライドさせ、貫通穴２４に導く。そこで、切欠２３のスペースを利用してネジ１１を起立させつつ、ネジ１１を貫通穴２４内に挿入する。そして、ドライバ等の締め付け工具を用いて、該ネジ１１の頭部１１ａが切欠２３の底面２３ａに当接するまでネジ１１を盤面１０に締着して取り付けられる。
【００１２】
この実施の形態１によれば、一対の切欠２３がケース２１の底面２１ａを挟んで相対する側壁面に上部側から下部側に延設され、貫通穴２４が各切欠２３の底面２３ａからケース２１の底面２１ａまであけられ、さらにガイド溝２５が各切欠２３の底面２３ａにケース２１の側壁面から貫通穴２４に至るように設けられている。そこで、ネジ１１の軸部１１ｂの先端をガイド溝２５内をスライドさせて貫通穴２４に導き、ついでネジ１１を切欠２３のスペースを利用して起立させて貫通穴２４に差し込むことができるので、貫通穴２４周辺の空間が狭くても、ネジ１１が簡易に貫通穴２４に差し込め、優れた取付容易性が得られる。
また、貫通穴２４、切欠２３およびガイド溝２５からなる取付部がケース２１の側壁面から突出していないので、デザイン上の制約がなく、小型化が図られるとともに、盤面１０上の実装密度が高められる。
また、切欠２３が側壁面からの切り込み深さが漸次深くなるようにケース２１の側壁面に上部側から下部側に延設されているので、ケース２１の内壁面を切欠２３の傾斜に合わせて傾斜面に形成でき、切欠２３を設けることによるケース２１の内容積の減少を抑えることができ、各部品をケース２１内に高密度に実装することができる。
また、切欠２３の底面２３ａとケース２１の底面２１ａとの厚みが１０ｍｍ以上に形成されているので、十分な取付強度が得られる。
【００１３】
なお、上記実施の形態１では、ケース２１の底面２１ａを取付面とするものとしているが、取付面は底面２１ａに限らずケース２１の側壁面であってもよい。この場合、取付面に該当する側壁面を挟む相対する一対の壁面に切欠２３、貫通穴２４およびガイド溝２５を設ければよい。
【００１４】
【発明の効果】
以上のようにこの発明によれば、制御部や電子部品を実装した回路基板が内部に収納され、貫通穴が取付面を挟んで相対する一対の側壁面のそれぞれに設けられ、該取付面が盤面に宛てがわれ、かつ、ネジが該貫通穴に差し込まれて該盤面に締着されて取り付けられる電気機器のケースにおいて、切欠が上記一対の側壁面のそれぞれに壁面からの深さを漸次深くするように反取付面側から上記取付面側に延設され、上記切欠の上記取付面側の底面が上記取付面と平行な面に形成され、上記貫通穴が上記各切欠の底面から上記取付面に至るように穿設され、上記ネジの軸部の先端を案内するガイド溝が上記各切欠の底面に上記側壁面の壁面から上記貫通穴に至るように上記貫通穴の内径と同じ幅で設けられているので、取付部の突出をなくし、デザイン上の制約をなくして、機器の小型化が図られ、優れた取付容易性を有する電気機器のケースが得られる。
【図面の簡単な説明】
【図１】  この発明の実施の形態１に係る電気機器の外観を示す図である。
【図２】  この発明の実施の形態１に係る電気機器の取付方法を説明する要部斜視図である。
【図３】  従来の電気機器の外観を示す図である。
【図４】  従来の電気機器の他の例の外観を示す図である。
【図５】  従来の電気機器の他の例の取付方法を説明する要部斜視図である。
【符号の説明】
１０  盤面、１１  ネジ、２０  電気機器、２１  ケース、２１ａ  底面（取付面）、２３  切欠、２３ａ  底面、２４  貫通穴、２５  ガイド溝。
【図１】
0003740652.tif 000002
【図２】
0003740652.tif 000003
【図３】
0003740652.tif 000004
【図４】
0003740652.tif 000005
【図５】
0003740652.tif 000006